(57)【要約】      （修正有）【課題】衣服の首部に容易に通すことができる極めて簡単な機構であって構成部品数が少なく経済性にも優れた折畳み式衣服用ハンガーを提供する。【解決手段】衣服の肩部を支持する左肩支持棒１１および右肩支持棒１３から構成される肩支持棒と、前記肩支持棒の中央部に設けられた吊着具３１と、前記肩支持棒の外側端部同士を連結する左下部連結棒１５および右下部連結棒１７から構成される下部連結棒とからなる。また、前記左下部連結棒および前記右下部連結棒の外側端部はそれぞれ外側に凸の左側連結部２５および右側連結部２７を介して前記左肩支持棒および前記右肩支持棒に連結され、前記左肩支持棒および前記右肩支持棒を連結する上部連結部２１、前記左下部連結棒および前記右下部連結棒を連結する下部連結部２３１、前記左側連結部および前記右側連結部を弾性体で形成した。【選択図】図１
0003174738.tif 000002
【実用新案登録請求の範囲】
【請求項１】
首部のある衣服を掛ける衣服用ハンガーにおいて、衣服の肩部を支持する左肩支持棒および右肩支持棒と、連結された前記左肩支持棒および前記右肩支持棒の中央部に設けられた吊着具と、前記左肩支持棒および前記右肩支持棒の外側端部同士を連結する下部連結棒と、からなり、
前記左肩支持棒および前記右肩支持棒は上側に凸形の上部連結部に連結され、前記吊着手段は前記上部連結部の中央部に設けられ、前記下部連結棒は左下部連結棒および右下部連結棒に二分割されて下部連結部に連結され、前記左下部連結棒および前記右下部連結棒の外側端部はそれぞれ外側に凸の左側連結部および右側連結部を介して前記左肩支持棒および前記右肩支持棒に連結され、
前記上部連結部、前記下部連結部、前記左側連結部および前記右側連結部は弾性体であって、前記左肩支持棒および前記右肩支持棒が互いに接近するように押圧されることにより前記左下部連結棒および前記右下部連結棒も接近して折畳まれ、押圧解除により前記左肩支持棒、前記右肩支持棒、前記左下部連結棒および前記右下部連結棒が元の位置に復する、ことを特徴とする折畳み式衣服用ハンガー。
【請求項２】
前記下部連結部は下側に凸形であって、前記左肩支持棒および前記右肩支持棒が互いに接近するように押圧されて前記上部連結部と下部連結部とが離間して折畳まれる、ことを特徴とする請求項１に記載の折畳み式衣服用ハンガー。
【請求項３】
前記下部連結部は上側に凸形であって、前記左肩支持棒および前記右肩支持棒が互いに接近するように押圧されて前記上部連結部と下部連結部とが接近して折畳まれる、ことを特徴とする請求項１に記載の折畳み式衣服用ハンガー。
【請求項４】
前記弾性体は樹脂系エラストマーであり、前記左肩支持棒、前記右肩支持棒、前記左下部連結棒および前記右下部連結棒も樹脂系エラストマーであって、前記上部連結部、前記下部連結部、前記左側連結部、前記右側連結部、前記左肩支持棒、前記右肩支持棒、前記左下部連結棒および前記右下部連結棒は一体成形されている、ことを特徴とする請求項１ないし請求項３のいずれかに記載の折畳み式衣服用ハンガー。
【請求項５】
少なくとも前記上部連結部は樹脂系エラストマーに代えてステンレス鋼の板ばねまたはねじりコイルばねである、ことを特徴とする請求項４に記載の折畳み式衣服用ハンガー。
【考案の詳細な説明】
【技術分野】
【０００１】
本考案は、折畳み式の衣服用ハンガーに関する。
【背景技術】
【０００２】
セーターやシャツ等の首部のある上着を掛ける衣服用ハンガーでは、従来から首部を通すことが容易な折畳み式の衣服用ハンガーが提案されている。
【０００３】
例えば、実開平７−１１９８１号公報に開示の「ハンガ」は、「一つの折り畳みハンガの肩の開きの角度を調整可能として、衣服の各種類、形状、寸法に合わせて幅広く利用できるようにする」ことを目的としていて、この目的を達成するために、「本願考案に係るハンガは、縦杆が、主杆部に対して相対的に上下に変位することによって、下部ヒンジ部が左肩支持片及び右肩支持片を下方に引き下げ或いは上方に押し上げ、左肩片と右肩片との開閉角度を変化させ得るものである。そして開閉位置決め手段は、左肩片と右肩片とが全開状態と折り畳み状態との中間の角度をなすとき、主杆部と縦杆との位置関係を保持して、その角度を維持する」構成としている。
【０００４】
また、実用新案登録第３１４５４９３号公報に開示の「伸縮式衣服用ハンガー」は、「スライドユニットを簡便に移動させて衣服の掛け外しができ、衣服の首開口部が緩くなったり変形したりすることを防ぐことができ、衣服の掛け外しのときにスライドユニットを片手で移動させることができる、伸縮式衣服用ハンガーを提供すること」を課題としていて、この課題の解決手段として「伸縮式衣服用ハンガーは、掛杆およびリンク機構を備える。掛杆は、吊下げユニットと、吊下げユニットに上端部が接続された案内棒と、を有する。リンク機構は、案内棒上に上下方向へ摺動可能に固定されたスライドユニットと、案内棒の左側に配置された第１の連結アームと、案内棒の右側に配置された第２の連結アームと、を備える」構成としている。
【０００５】
しかしながら、実開平７−１１９８１号公報に開示の「ハンガ」も実用新案登録第３１４５４９３号公報に開示の「伸縮式衣服用ハンガー」も共に消耗品に近い状態で使用される日用品としては、機構が複雑で経済性に乏しい。
【先行技術文献】
【特許文献】
【０００６】
【特許文献１】実開平７−１１９８１号公報
【特許文献２】実用新案登録第３１４５４９３号公報
【考案の概要】
【考案が解決しようとする課題】
【０００７】
本願考案は、上記の課題に鑑みてなされたものであって、衣服の首部に容易に通すことができる極めて簡単な機構であって構成部品数が少なく経済性にも優れた折畳み式衣服用ハンガーを提供することを目的とする。
【課題を解決するための手段】
【０００８】
上記目的を達成するため、本願請求項１に係る折畳み式衣服用ハンガーは、首部のある衣服を掛ける衣服用ハンガーにおいて、衣服の肩部を支持する左肩支持棒および右肩支持棒と、連結された前記左肩支持棒および前記右肩支持棒の中央部に設けられた吊着具と、前記左肩支持棒および前記右肩支持棒の外側端部同士を連結する下部連結棒と、からなり、前記左肩支持棒および前記右肩支持棒は上側に凸形の上部連結部に連結され、前記吊着手段は前記上部連結部の中央部に設けられ、前記下部連結棒は左下部連結棒および右下部連結棒に二分割されて下部連結部に連結され、前記左下部連結棒および前記右下部連結棒の外側端部はそれぞれ外側に凸の左側連結部および右側連結部を介して前記左肩支持棒および前記右肩支持棒に連結され、前記上部連結部、前記下部連結部、前記左側連結部および前記右側連結部は弾性体であって、前記左肩支持棒および前記右肩支持棒が互いに接近するように押圧されることにより前記左下部連結棒および前記右下部連結棒も接近して折畳まれ、押圧解除により前記左肩支持棒、前記右肩支持棒、前記左下部連結棒および前記右下部連結棒が元の位置に復する、ことを特徴としている。なお、本明細書において、「上」、「下」、「左」および「右」は、吊着具により折畳み式衣服用ハンガーを吊着したときの概念であり、衣服の左右と折畳み式衣服用ハンガーの左右は必ずしも一致するものではない。
また、本願請求項２に係る折畳み式衣服用ハンガーは、請求項１に記載の折畳み式衣服用ハンガーであり、前記下部連結部は下側に凸形であって、前記左肩支持棒および前記右肩支持棒が互いに接近するように押圧されて前記上部連結部と下部連結部とが離間して折畳まれる、ことを特徴としている。
そして、本願請求項３に係る折畳み式衣服用ハンガーは、請求項１に記載の折畳み式衣服用ハンガーであり、前記下部連結部は上側に凸形であって、前記左肩支持棒および前記右肩支持棒が互いに接近するように押圧されて前記上部連結部と下部連結部とが接近して折畳まれる、ことを特徴としている。
さらに、本願請求項４に係る折畳み式衣服用ハンガーは、請求項１ないし請求項３のいずれかに記載の請求項１に係る折畳み式衣服用ハンガーであって、前記弾性体は樹脂系エラストマーであり、前記左肩支持棒、前記右肩支持棒、前記左下部連結棒および前記右下部連結棒も樹脂系エラストマーであって、前記上部連結部、前記下部連結部、前記左側連結部、前記右側連結部、前記左肩支持棒、前記右肩支持棒、前記左下部連結棒および前記右下部連結棒は一体成形されている、ことを特徴としている。
また、本願請求項５に係る折畳み式衣服用ハンガーは、請求項４に記載の請求項１に係る折畳み式衣服用ハンガーであって、少なくとも前記上部連結部は樹脂系エラストマーに代えてステンレス鋼の板ばねまたはねじりコイルばねであり、前記左肩支持棒および前記右肩支持棒は樹脂製であって、前記左肩支持棒および前記右肩支持棒の端部の挿入穴に前記上部連結部の端部が挿入されて嵌着される、ことを特徴としている。
【考案の効果】
【０００９】
上記構成により、本考案は以下の効果を奏する。
（１）本考案は、左肩支持棒、右肩支持棒、左下部連結棒および右下部連結棒が上部連結部、下部連結部、左側連結部および右側連結部に連結されていて外観が四辺形となっている。このため、構成が極めて簡単であり、安価に製造することができるとともに、メンテナンスも容易である。
（２）下部連結部が下側に凸形の場合は、左肩支持棒および右肩支持棒を互いに接近するように押圧することにより、縦に長く折畳まれて衣服の首部に容易にハンガーを通すことができる。
（３）下部連結部が上側に凸形の場合は、左肩支持棒および右肩支持棒を互いに接近するように押圧することにより、左下部連結棒および右下部連結棒が左肩支持棒および右肩支持棒の内側に折畳まれて衣服の首部に容易にハンガーを通すことができる。
（４）弾性体である上部連結部、下部連結部、左側連結部および右側連結部を樹脂系エラストマーとし、さらに、左肩支持棒、右肩支持棒、左下部連結棒および右下部連結棒も樹脂系エラストマーとすることによって、この折畳み式衣服用ハンガーは一体成形できるから、構成部品数が少なく経済性や耐候性に優れたものとなる。
（５）少なくとも上部連結部を樹脂系エラストマーに代えてステンレス鋼の板ばねまたはねじりコイルばねとした場合には、上部連結部の復元力が強力となって、折畳み易く押圧解除による復元も容易なものとなる。
【図面の簡単な説明】
【００１０】
【図１】図１は実施例１に係る折畳み式衣服用ハンガーの正面図であって、図１（ａ）は衣服用ハンガーの通常の状態を示す正面図、図１（ｂ）は衣服用ハンガーの折畳まれた状態を示す正面図である。
【図２】図２は実施例２に係る折畳み式衣服用ハンガーの正面図であって、図２（ａ）は衣服用ハンガーの通常の状態を示す正面図、図２（ｂ）は衣服用ハンガーの折畳まれた状態を示す正面図である。
【考案を実施するための形態】
【００１１】
以下、本考案を実施するための形態に係る折畳み式衣服用ハンガーについて、図１および図２に基づいて説明する。なお、図１および図２において、符号１は実施例１に係る折畳み式衣服用ハンガー、符号２は実施例２に係る折畳み式衣服用ハンガー、符号１１は左肩支持棒、符号１３は右肩支持棒、符号１５は左下部連結棒、符号１７は右下部連結棒、符号２１は上部連結部、符号２３１は実施例１に係る下部連結部、符号２３２は実施例２に係る下部連結部、符号２５は左側連結部、符号２７は右側連結部、符号３１は吊着具本体、符号３３は吊着具保持部、である。
【実施例１】
【００１２】
まず、実施例１に係る折畳み式衣服用ハンガー１について説明する。
折畳み式衣服用ハンガー１は、いずれも棒状体の左肩支持棒１１、右肩支持棒１３、左下部連結棒１５および右下部連結棒１７と、いずれも「へ」の字状に曲折されて復元力のある弾性体として機能する上部連結部２１、下部連結部２３１、左側連結部２５および右側連結部２７と、吊着具と、から構成されていて、吊着具はフック状の吊着具本体３１と、吊着具本体３１を保持する吊着具保持部３３と、から構成されている。なお実施例１ではすべての構成部品に樹脂系エラストマーであるスチレン系エストラマーを使用し一体成形しているが、上部連結部２１、下部連結部２３１、左側連結部２５および右側連結部２７をステンレス鋼の板ばねやねじりコイルばねとしても良いことは勿論である。これは後述する実施例２でも同様であって、下部連結部２３１は実施例２では下部連結部２３２となる。
【００１３】
左肩支持棒１１および右肩支持棒１３は、上側に凸形の上部連結部２１を介して連結されて全体として「へ」の字状を呈している。左肩支持棒１１および右肩支持棒１３は、使用時には衣服の肩部を支持する役割を担うものであるが、その中心部、すなわち上部連結部２１の中心部には、吊着具保持部３３が固着されていて、その上部には左右方向に回動自在となるように吊着具本体３１が嵌着されている。
【００１４】
左下部連結棒１５および右下部連結棒１７は、下側に凸形の下部連結部２３１を介して連結されて全体として上側に開いた逆「へ」の字状を呈している。そして、左下部連結棒１５の端部に左肩支持棒１１の端部が外側に凸形の左側連結部２５を介して連結され、右下部連結棒１７の端部に右肩支持棒１３の端部が外側に凸形の右側連結部２７を介して連結されている。
【００１５】
図１（ａ）に示すように、折畳み式衣服用ハンガー１の力学的に安定した通常の状態では、上部連結部２１および下部連結部２３１の挟角は共に鈍角となり、左側連結部２５および右側連結部２７の挟角は共に鋭角となっていて、折畳み式衣服用ハンガー１の外観は、略ひし形を呈している。
【００１６】
そして、左肩支持棒１１および右肩支持棒１３が互いに接近するように手などで押圧すると、図１（ｂ）に示すように、上部連結部２１と下部連結部２３１とが離間して、折畳み式衣服用ハンガー１が上下に細長く折畳まれる。このとき、上部連結部２１および下部連結部２３１の挟角は共に鋭角となり、左側連結部２５および右側連結部２７の挟角は共に鈍角となる。
【００１７】
ここで、折畳み式衣服用ハンガー１の使用方法例について説明する。
首部のある衣服を干すときには、左肩支持棒１１および右肩支持棒１３を互いに接近するように手で押圧すると、図１（ｂ）に示すように、上部連結部２１と下部連結部２３１とが離間して、折畳み式衣服用ハンガー１が上下に細長く折畳まれる。この縦に細長く折畳まれた状態で衣服の首部に折畳み式衣服用ハンガー１を通した後、左肩支持棒１１および右肩支持棒１３の押圧状態を解除（押圧解除）すると、折畳み式衣服用ハンガー１は図１（ａ）に示すように元に戻って、衣服は折畳み式衣服用ハンガー１に掛けられる。
なお、上記の手順を逆に辿れば、衣服を折畳み式衣服用ハンガー１から外すことができる。
【実施例２】
【００１８】
次に、実施例２に係る折畳み式衣服用ハンガー２について説明する。
折畳み式衣服用ハンガー２は、いずれも棒状体の左肩支持棒１１、右肩支持棒１３、左下部連結棒１５および右下部連結棒１７と、いずれも「へ」の字状に曲折されて復元力のある弾性体として機能する上部連結部２１、下部連結部２３２、左側連結部２５および右側連結部２７と、フック状の吊着具本体３１と、吊着具３１を保持する吊着具保持部３３と、から構成されている。
【００１９】
構成上、折畳み式衣服用ハンガー１および折畳み式衣服用ハンガー２が相違するところは、下部連結部２３１および下部連結部２３２に在る。そのため、ここでは、折畳み式衣服用ハンガー２が折畳み式衣服用ハンガー１と異なる構成、および異なる構成に因る作用効果の相違について、主に説明することとする。
【００２０】
左肩支持棒１１、右肩支持棒１３、上部連結部２１、吊着具保持部３３および吊着具３１の構成については、〔実施例１〕と同様であるのでその説明を省略する。
左下部連結棒１５および右下部連結棒１７は、上側に凸形の下部連結部２３２を介して連結されて全体として「へ」の字状を呈している。そして、左下部連結棒１５の端部に左肩支持棒１１の端部が外側に凸形の左側連結部２５を介して連結され、右下部連結棒１７の端部に右肩支持棒１３の端部が外側に凸形の右側連結部２７を介して連結されている。
【００２１】
図２（ａ）に示すように、折畳み式衣服用ハンガー２の通常の状態は、上部連結部２１および下部連結部２３１の挟角は共に鈍角となり、左側連結部２５および右側連結部２７の挟角は共に鋭角となっていて、折畳み式衣服用ハンガー２の外観は、左右対称で中央部分の幅が広がった「へ」の字状を呈している。
【００２２】
そして、左肩支持棒１１および右肩支持棒１３が互いに接近するように押圧すると、図２（ｂ）に示すように、上部連結部２１と下部連結部２３２とが接近して、左肩支持棒１１および右肩支持棒１３により形成される「へ」の字の内側に左下部連結棒１５および右下部連結棒１７が収納されるようにして折畳み式衣服用ハンガー２が折畳まれる。このとき、上部連結部２１および下部連結部２３１の挟角は共に鋭角となり、左側連結部２５および右側連結部２７の挟角も鋭角となる。
【００２３】
ここで、折畳み式衣服用ハンガー２の使用方法例について説明する。
首部のある衣服を干すときには、左肩支持棒１１および右肩支持棒１３を互いに接近するように手で押圧すると、図２（ｂ）に示すように、上部連結部２１と下部連結部２３２とが接近して、折畳み式衣服用ハンガー２が折畳まれる。この折畳まれた状態で衣服の首部に折畳み式衣服用ハンガー２を通した後、左肩支持棒１１および右肩支持棒１３の押圧状態を解除すると、折畳み式衣服用ハンガー２は図２（ａ）に示すように元に戻って、衣服は折畳み式衣服用ハンガー２に掛けられる。
なお、上記の手順を逆に辿れば、衣服を折畳み式衣服用ハンガー２から外すことができる。
【符号の説明】
【００２４】
１    実施例１に係る折畳み式衣服用ハンガー
２    実施例２に係る折畳み式衣服用ハンガー
１１    左肩支持棒
１３    右肩支持棒
１５    左下部連結棒
１７    右下部連結棒
２１    上部連結部
２３１    実施例１に係る下部連結部
２３２    実施例２に係る下部連結部
２５    左側連結部
２７    右側連結部
３１    吊着具本体
３３    吊着具保持部
【図１】
0003174738.tif 000003
【図２】
0003174738.tif 000004